(57)【特許請求の範囲】
【請求項１】
コンテンツ転送装置から転送されるコンテンツデータを受信して記憶するコンテンツ記憶装置において、
上記コンテンツデータと、上記コンテンツデータの記憶に伴い上記コンテンツ転送装置によって更新される第１のデータベースと、上記コンテンツデータをグルーピングするために上記コンテンツ記憶装置自身で更新する第２のデータベースとが記憶された記憶手段と、
上記コンテンツ転送装置により上記コンテンツデータの追加処理又は削除処理が上記記憶手段に対して実行され、上記コンテンツ転送装置により上記第１のデータベースが更新された後、上記コンテンツ転送装置から上記コンテンツ記憶装置が切り離されたことを認識した場合、上記第２のデータベースを更新する制御手段と
を具えるコンテンツ記憶装置。
【請求項２】
上記コンテンツデータのグルーピングは、再生回数によってグルーピングする
請求項１に記載のコンテンツ記憶装置。
【請求項３】
上記コンテンツデータのグルーピングは、再生時間帯によってグルーピングする
請求項１に記載のコンテンツ記憶装置。
【請求項４】
上記コンテンツデータのグルーピングは、上記コンテンツ転送装置から新規に追加された上記コンテンツをグルーピングする
請求項１に記載のコンテンツ記憶装置。
【請求項５】
コンテンツ転送装置から転送されるコンテンツデータを受信して記憶手段に対して記憶する記憶ステップと、
上記コンテンツ転送装置により上記コンテンツデータの追加処理又は削除処理が上記記憶手段に対して実行され、上記記憶手段に記憶された上記第１のデータベースが上記コンテンツデータの記憶に伴い上記コンテンツ転送装置により更新された後、上記コンテンツ転送装置から切り離されたことを認識した場合、上記記憶手段に記憶された上記第２のデータベースを更新する更新ステップと
を有するコンテンツ記憶方法。
【請求項６】
コンテンツ転送装置と、上記コンテンツ転送装置から転送されるコンテンツデータを受信して記憶するコンテンツ記憶装置とを有し、
上記コンテンツ記憶装置は、
上記コンテンツデータと、上記コンテンツデータの記憶に伴い上記コンテンツ転送装置によって更新される第１のデータベースと、上記コンテンツデータをグルーピングするために上記コンテンツ記憶装置自身で更新する第２のデータベースとが記憶された記憶手段と、
上記コンテンツ転送装置により上記第１のデータベースが更新された後、上記コンテンツ転送装置から上記コンテンツ記憶装置が切り離されたことを認識した場合、上記第２のデータベースを更新する制御手段と
を具え、
上記コンテンツ転送装置は、
上記コンテンツデータの追加処理又は削除処理を上記記憶手段に対して実行する実行手段と、
上記追加処理又は上記削除処理を実行した場合、上記第１のデータベースを更新する更新手段と
を具える
コンテンツ記憶システム。
【発明の詳細な説明】
【技術分野】
【０００１】
本発明はコンテンツ記憶装置、コンテンツ記憶方法及びコンテンツ記憶システムに関し、例えば、パーソナルコンピュータ等の外部機器から転送された楽曲データを内部のハードディスクドライブに記憶しておき、ユーザの操作に応じて当該ハードディスクドライブに記憶されている楽曲データを再生するようになされた携帯再生装置に適用して好適なものである。
【背景技術】
【０００２】
近年、パーソナルコンピュータ等から転送された楽曲データを内部のハードディスクドライブに記憶しておき、ユーザの操作に応じて当該ハードディスクドライブに記憶している楽曲データを再生するようになされた携帯再生装置が普及しつつある。
【０００３】
このような携帯再生装置は、内部のハードディスクドライブに記憶されている複数の楽曲データのタイトル等を、例えばジャンルや再生回数ごとに分類して表示部に表示し、当該表示されているものの中からユーザの操作によって選択された楽曲データを再生するようになされている（例えば特許文献１）。
【特許文献１】米国特許出願公開第２００４／００５５４４６Ａ１号明細書
【発明の開示】
【発明が解決しようとする課題】
【０００４】
ここで、楽曲データのタイトルを再生回数ごとに分類して表示する一手法を説明する。すなわち携帯再生装置は、図１２に示すような再生回数データベースを記憶保持している。実際上このような再生回数データベースは、所定のフォーマットに基づいて作成されるものであり、図１２ではこれを簡略化して示している。
【０００５】
この再生回数データベースには、携帯再生装置のハードディスクドライブに記憶されている各楽曲データに対して割り当てられたデータ番号が、再生回数ごとにグループ分けされて登録される。これにより携帯再生装置は、この再生回数データベースに基づいて、内部のハードディスクドライブに記憶している各楽曲データの再生回数を認識することができ、かくして楽曲データのタイトルを再生回数ごとに分類して表示することができる。
【０００６】
ところで実際上、楽曲データをパーソナルコンピュータから携帯再生装置に対して転送するために、携帯再生装置が例えばケーブルを介してパーソナルコンピュータに接続されると、パーソナルコンピュータは、楽曲データの転送処理を主体的に実行するマスタとして機能する状態になり、これに対して携帯再生装置は、パーソナルコンピュータに対するスレーブとして機能する状態になる。
【０００７】
すなわちこのときパーソナルコンピュータは、楽曲データを携帯再生装置へ転送する転送処理として、ケーブルを介してスレーブとして機能している携帯再生装置のハードディスクドライブにアクセスし、このハードディスクドライブに対してかかる楽曲データを書き込む処理を実行するようになされている。
【０００８】
またこの際、パーソナルコンピュータから携帯再生装置のハードディスクドライブに対して新たに書き込まれた楽曲データのデータ番号を、再生回数［０回］のグループＧＰ１に属するようにして再生回数データベースに登録しなければならない。しかしながらパーソナルコンピュータ側は、この再生回数データベースが自身の保有するものではなく携帯再生装置側に構築されたものであることから、「新たに書き込んだ楽曲データのデータ番号は再生回数［０回］のグループＧＰ１に属するように再生回数データベースに登録する」という登録ルールを認識していない。かくするにつきこのパーソナルコンピュータ側からは、新たに書き込んだ楽曲データのデータ番号を、再生回数データベースに正しく登録することができず、この結果、携帯再生装置において楽曲データの再生回数を正しく管理できないという問題が生じてしまう。
【０００９】
一方、携帯再生装置は、再生回数データベースに対する処理を実行するためのプログラム等が予め格納されているので、「新たに書き込まれた楽曲データのデータ番号は再生回数［０回］のグループＧＰ１に属するように再生回数データベースに登録する」という登録ルールを認識している。しかしながらパーソナルコンピュータによる楽曲データの転送処理が実行されている間、この携帯再生装置は、ケーブルを介してパーソナルコンピュータに接続されているので、パーソナルコンピュータに対するスレーブとして機能している。従って転送処理が実行されている期間中、この携帯再生装置は、かかる楽曲データのデータ番号を再生回数データベースに登録するような処理を、主体的に実行することができない。
【００１０】
また、携帯再生装置がパーソナルコンピュータから切り離されて、この携帯再生装置が主体的に処理を実行することができるようになったとき、この携帯再生装置に対し、新たに書き込まれた楽曲データのデータ番号を再生回数データベースに登録させるようにすることも考えられる。しかしながらこの携帯再生装置は、楽曲データの転送処理時、パーソナルコンピュータに対するスレーブとして機能しているため、パーソナルコンピュータにより新たに書き込まれた楽曲データを把握しておくことができず、従ってパーソナルコンピュータから切り離されたとき、自身のハードディスクドライブに記憶されている複数の楽曲データの中から、新たに書き込まれた楽曲データを特定することができない。かくするにつきこの携帯再生装置は、再生回数データベースに対して当該新たに書き込まれた楽曲データのデータ番号を登録することができず、この結果、楽曲データの再生回数を正しく管理できないという問題が生じてしまう。
【００１１】
本発明は以上の点を考慮してなされたもので、コンテンツデータを格段と確実に正しく管理し得るコンテンツ記憶装置、コンテンツ記憶方法及びコンテンツ記憶システムを提案しようとするものである。
【課題を解決するための手段】
【００１２】
かかる課題を解決するため本発明においては、コンテンツ転送装置から転送されるコンテンツデータを受信して記憶するコンテンツ記憶装置において、コンテンツデータと、コンテンツデータの記憶に伴いコンテンツ転送装置によって更新される第１のデータベースと、コンテンツデータをグルーピングするためにコンテンツ記憶装置自身で更新する第２のデータベースとが記憶された記憶手段と、コンテンツ転送装置によりコンテンツデータの追加処理又は削除処理が記憶手段に対して実行され、コンテンツ転送装置により第１のデータベースが更新された後、コンテンツ転送装置からコンテンツ記憶装置が切り離されたことを認識した場合、第２のデータベースを更新する制御手段とを設けるようにした。
【００１３】
また本発明においては、コンテンツ転送装置から転送されるコンテンツデータを受信して記憶手段に対して記憶する記憶ステップと、コンテンツ転送装置によりコンテンツデータの追加処理又は削除処理が記憶手段に対して実行され、記憶手段に記憶された第１のデータベースがコンテンツデータの記憶に伴いコンテンツ転送装置により更新された後、コンテンツ転送装置から切り離されたことを認識した場合、記憶手段に記憶された第２のデータベースを更新する更新ステップとを設けるようにした。
【００１４】
さらに本発明においては、コンテンツ転送装置と、コンテンツ転送装置から転送されるコンテンツデータを受信して記憶するコンテンツ記憶装置とを有し、コンテンツ記憶装置は、コンテンツデータと、コンテンツデータの記憶に伴いコンテンツ転送装置によって更新される第１のデータベースと、コンテンツデータをグルーピングするためにコンテンツ記憶装置自身で更新する第２のデータベースとが記憶された記憶手段と、コンテンツ転送装置により第１のデータベースが更新された後、コンテンツ転送装置からコンテンツ記憶装置が切り離されたことを認識した場合、第２のデータベースを更新する制御手段とを設け、コンテンツ転送装置は、コンテンツデータの追加処理又は削除処理を記憶手段に対して実行する実行手段と、追加処理又は削除処理を実行した場合、第１のデータベースを更新する更新手段とを設けるようにした。
【００１５】
この結果このコンテンツ記憶装置は、コンテンツ処理装置により書き込まれたコンテンツデータ及び削除されたコンテンツデータのグルーピングを第２のデータベースに対して自身が行うので、コンテンツ転送装置による第２のデータベースの改竄を防止することができ、またコンテンツ転送装置が複数のコンテンツ記憶装置を管理する場合でも、コンテンツ記憶装置毎にコンテンツデータのグルーピングを行うことができる。
【発明の効果】
【００１６】
本発明によれば、コンテンツ記憶装置は、コンテンツ処理装置により書き込まれたコンテンツデータ及び削除されたコンテンツデータのグルーピングを第２のデータベースに対して自身が行うので、コンテンツ転送装置による第２のデータベースの改竄を防止することができ、またコンテンツ転送装置が複数のコンテンツ記憶装置を管理する場合でも、コンテンツ記憶装置毎にコンテンツデータのグルーピングを行うことができ、かくしてコンテンツデータを格段と確実に正しく管理することができる。
【発明を実施するための最良の形態】
【００１７】
以下図面について、本発明の一実施の形態を詳述する。
【００１８】
（１）第１の実施の形態
図１において、１は全体として楽曲データ転送システムを示し、例えば、インターネットＮＴを介してダウンロードした楽曲データを、ケーブル２を介して携帯再生装置３へ転送するパーソナルコンピュータ４と、当該パーソナルコンピュータ４からケーブル２を介して転送される楽曲データを、内部のハードディスクドライブに記憶する携帯再生装置３とを有している。
【００１９】
次に図２を用いて、このパーソナルコンピュータ４の構成の一例を説明する。このパーソナルコンピュータ４を統括的に制御するＣＰＵ（Central Processing Unit）１０に対してはバス１１を介して、ＲＯＭ（Read Only Memory）１２やＲＡＭ（Random Access Memory）１３やハードディスクドライブ１４が接続されると共に入出力インターフェース部１５が接続されている。この入出力インターフェース部１５に対しては、携帯再生装置３とケーブル２（例えばＵＳＢケーブル等）を介して接続するための接続部１６、各種情報を表示するための表示部１７、キーボード等からなる操作部１８、インターネットＮＴを介して外部のサーバとデータ通信するための通信部１９、ＣＤ（Compact Disc）等に記録されているデータを読み出すためのドライブ部２０等が接続される。
【００２０】
このパーソナルコンピュータ４のＣＰＵ１０は、ＲＯＭ１２やハードディスクドライブ１４に格納されている各種プログラムを適宜読み出してＲＡＭ１３に展開し、これに基づいて楽曲データのダウンロード処理や転送処理等を実行するようになされている。
【００２１】
すなわちパーソナルコンピュータ４のＣＰＵ１０は、例えばユーザにより操作部１８を介してダウンロード操作が行われると、通信部１９を制御することによりインターネットＮＴを介して外部のサーバにアクセスし、当該サーバからユーザのダウンロード操作に応じた楽曲データを取得する。そしてパーソナルコンピュータ４のＣＰＵ１０は、当該取得した楽曲データをハードディスクドライブ１４に記憶する。
【００２２】
この後、例えばユーザにより操作部１８を介して、楽曲データを携帯再生装置３に対して転送する転送操作が行われると、これに応じてパーソナルコンピュータ４のＣＰＵ１０は、ハードディスクドライブ１４からユーザの転送操作に応じた楽曲データを読み出し、当該読み出した楽曲データを、ケーブル２を介してスレーブとして機能している携帯再生装置３のハードディスクドライブに書き込むようになされている。
【００２３】
次に、図３を用いて携帯再生装置３の構成の一例を説明する。この携帯再生装置３を統括的に制御するＣＰＵ３０に対してはバス３１を介して、ＲＯＭ３２やＲＡＭ３３、パーソナルコンピュータ４とケーブル２を介して接続するための接続部３４、楽曲データや後述する種々のデータベースが記憶されるハードディスクドライブ３５、操作キーや操作ボタン等からなる操作部３６、液晶ディスプレイ等からなる表示部３７、イヤホンやスピーカ等に相当する放音部３８が接続されて構成される。
【００２４】
携帯再生装置３のＣＰＵ３０は、ＲＯＭ３２やハードディスクドライブ３５に格納されている各種プログラムを適宜読み出してＲＡＭ３３に展開し、これに基づいて楽曲データの再生処理等を実行するようになされている。
【００２５】
例えば携帯再生装置３のＣＰＵ３０は、ユーザにより操作部３６を介して再生操作が行われると、ハードディスクドライブ３５から楽曲データを読み出し、当該読み出した楽曲データに対して所定の再生処理を実行することにより、放音部３８から音楽を出力する。
【００２６】
またこの場合、この携帯再生装置３のハードディスクドライブ３５には、楽曲管理データベースが格納されている。この楽曲管理データベースには、例えば、携帯再生装置３のハードディスクドライブ３５に現在記憶されている楽曲データのタイトルと、その楽曲データに割り当てられているデータ番号とが対応付けられて記憶される。
【００２７】
さらにこの携帯再生装置３のハードディスクドライブ３５には、図４に示すような、再生回数データベースや再生時間帯データベースや新規楽曲データベース等も格納されている。
【００２８】
再生回数データベースは、携帯再生装置３のハードディスクドライブ３５に記憶されている各楽曲データの再生回数を記憶しておくものである。また再生時間帯データベースは、携帯再生装置３のハードディスクドライブ３５に記憶されている各楽曲データが再生された再生時間帯を記憶しておくものである。また新規楽曲データベースは、パーソナルコンピュータ４により携帯再生装置３のハードディスクドライブ３５に対して新規に書き込まれた楽曲データを把握しておくためのものである。因みにこれらデータベースは、所定のフォーマットに従って生成されている。
【００２９】
携帯再生装置３のＣＰＵ３０は、これらデータベースに基づいて種々の画面を表示する。すなわち携帯再生装置３のＣＰＵ３０は、再生回数データベースに基づいて、ハードディスクドライブ３５に記憶されている各楽曲データの再生回数を認識し、当該認識結果に基づいて、例えば頻繁に再生される楽曲データのタイトルを示した画面ＳＣ１を、表示部３７に表示する。また携帯再生装置３のＣＰＵ３０は、再生時間帯データベースに基づいて、ハードディスクドライブ３５に記憶されている各楽曲データの再生時間帯を認識し、当該認識結果に基づいて、例えば所定の時間帯（この場合「朝」）に頻繁に再生される楽曲データのタイトルを示した画面ＳＣ２を、表示部３７に表示する。また携帯再生装置３のＣＰＵ３０は、新規楽曲データベースに基づいて、例えば最近１日以内にパーソナルコンピュータ４により新規に書き込まれた楽曲データのタイトルを認識し、当該認識結果を示した画面ＳＣ３を表示部３７に表示するようになされている。
【００３０】
次に図５及び図６を用いて、携帯再生装置３のハードディスクドライブ３５に対して新たな楽曲データを書き込む際の書込処理手順ＲＴ１を、詳細に説明する。
【００３１】
すなわち、例えばユーザによりパーソナルコンピュータ４の操作部１８を介して、楽曲データ「楽曲Ｚ」を携帯再生装置３へ転送するための転送操作が行われると、これに応じてパーソナルコンピュータ４のＣＰＵ１０はステップＳＰ１へ進み、ケーブル２を介して携帯再生装置３のハードディスクドライブ３５に格納されている楽曲管理データベースを参照することにより、携帯再生装置３のハードディスクドライブ３５に現在記憶されている楽曲データの何れにも割り当てられていない未使用のデータ番号「００２６」を認識する。
【００３２】
次いでパーソナルコンピュータ４のＣＰＵ１０はステップＳＰ２へ進み、携帯再生装置３へ転送する楽曲データ「楽曲Ｚ」に対して当該認識したデータ番号「００２６」を付加した後、当該データ番号「００２６」を付加した楽曲データ「楽曲Ｚ」を、ケーブル２を介して携帯再生装置３のハードディスクドライブ３５に書き込む（図６）。このようにして、この携帯再生装置３内で一意になるデータ番号「００２６」が付加された楽曲データ「楽曲Ｚ」が、パーソナルコンピュータ４から携帯再生装置３へ転送される。
【００３３】
続いてパーソナルコンピュータ４のＣＰＵ１０はステップＳＰ３へ進み、当該書き込んだ楽曲データのデータ番号「００２６」を、ケーブル２を介して携帯再生装置３のハードディスクドライブ３５に格納されている楽曲管理データベースに対して登録する。
【００３４】
そしてパーソナルコンピュータ４のＣＰＵ１０はステップＳＰ４へ進み、当該書き込んだ楽曲データのデータ番号「００２６」を示した書込処理結果データを、ケーブル２を介して携帯再生装置３のハードディスクドライブ３５に書き込む。
【００３５】
これにより携帯再生装置３は、パーソナルコンピュータ４から切り離されて主体的に処理を実行できるようになった際、ハードディスクドライブ３５に記憶されている書込処理結果データに基づいて、ハードディスクドライブ３５に新たに書き込まれた楽曲データのデータ番号「００２６」を認識することができる。この結果この携帯再生装置３は、当該新たに書き込まれた楽曲データのデータ番号「００２６」を、再生回数［０回］のグループＧＰ１に属するようにして再生回数データベースに登録することができる。
【００３６】
次に図７及び図６を用いて、携帯再生装置３のハードディスクドライブ３５から楽曲データを削除する際の削除処理手順ＲＴ２を、詳細に説明する。
【００３７】
すなわち、例えばユーザによりパーソナルコンピュータ４の操作部１８を介して、携帯再生装置３のハードディスクドライブ３５に記憶されている楽曲データを削除するための削除操作として、楽曲データのタイトル「楽曲Ｆ」が入力されると、これに応じてパーソナルコンピュータ４のＣＰＵ１０はステップＳＰ１１へ進み、ケーブル２を介して携帯再生装置３のハードディスクドライブ３５に格納されている楽曲管理データベースを参照することにより、当該入力されたタイトル「楽曲Ｆ」に対応する楽曲データのデータ番号「０００６」を認識する。
【００３８】
次いでパーソナルコンピュータ４のＣＰＵ１０はステップＳＰ１２へ進み、ケーブル２を介して携帯再生装置３のハードディスクドライブ３５にアクセスし、このハードディスクドライブ３５に記憶されている複数の楽曲データの中から、ステップＳＰ１１で認識したデータ番号「０００６」の楽曲データを特定し、当該特定した楽曲データを削除する。
【００３９】
続いてパーソナルコンピュータ４のＣＰＵ１０はステップＳＰ１３へ進み、当該削除した楽曲データのデータ番号「０００６」を、携帯再生装置３のハードディスクドライブ３５に格納されている楽曲管理データベースから登録抹消する。
【００４０】
そしてパーソナルコンピュータ４のＣＰＵ１０はステップＳＰ１４へ進み、当該削除した楽曲データのデータ番号「０００６」を示した削除処理結果データを、ケーブル２を介して携帯再生装置３のハードディスクドライブ３５に書き込む。
【００４１】
これにより携帯再生装置３は、パーソナルコンピュータ４から切り離されて主体的に処理を実行できるようになった際、ハードディスクドライブ３５に記憶されている削除処理結果データに基づいて、ハードディスクドライブ３５から削除された楽曲データのデータ番号「０００６」を認識することができる。この結果この携帯再生装置３は、当該削除された楽曲データのデータ番号「０００６」を、再生回数データベースから登録抹消することができる。
【００４２】
以上の構成において、ユーザによりパーソナルコンピュータ４の操作部１８を介して、楽曲データを携帯再生装置３へ転送するための転送操作が行われると、これに応じてパーソナルコンピュータ４のＣＰＵ１０は、この携帯再生装置３内で一意になるデータ番号を当該転送する楽曲データに付加した後、当該データ番号を付加した楽曲データを、ケーブル２を介して携帯再生装置３のハードディスクドライブ３５に書き込む。このときパーソナルコンピュータ４のＣＰＵ１０は、当該書き込んだ楽曲データのデータ番号を示した書込処理結果データを生成し、当該生成した書込処理結果データを、ケーブル２を介して携帯再生装置３のハードディスクドライブ３５に書き込む。
【００４３】
これにより携帯再生装置３は、パーソナルコンピュータ４から切り離されて主体的に処理を実行できるようになった際、ハードディスクドライブ３５に記憶されている書込処理結果データに基づいて、ハードディスクドライブ３５に新たに書き込まれた楽曲データのデータ番号を認識することができる。この結果この携帯再生装置３は、当該新たに書き込まれた楽曲データのデータ番号を、再生回数［０回］のグループに属するようにして再生回数データベースに登録することができる。
【００４４】
また、ユーザによりパーソナルコンピュータ４の操作部１８を介して、携帯再生装置３のハードディスクドライブ３５に記憶されている楽曲データを削除するための削除操作が行われると、これに応じてパーソナルコンピュータ４は、ケーブル２を介して携帯再生装置３のハードディスクドライブ３５にアクセスし、このハードディスクドライブ３５からかかる削除操作に応じた楽曲データを削除する。このときパーソナルコンピュータ４のＣＰＵ１０は、当該削除した楽曲データのデータ番号を示した削除処理結果データを生成し、当該生成した削除処理結果データを、ケーブル２を介して携帯再生装置３のハードディスクドライブ３５に書き込む。
【００４５】
これにより携帯再生装置３は、パーソナルコンピュータ４から切り離されて主体的に処理を実行できるようになった際、ハードディスクドライブ３５に記憶されている削除処理結果データに基づいて、ハードディスクドライブ３５から削除された楽曲データのデータ番号を認識することができる。この結果この携帯再生装置３は、当該削除された楽曲データのデータ番号を、再生回数データベースから登録抹消することができる。
【００４６】
以上の構成によれば、パーソナルコンピュータ４は、携帯再生装置３に対して接続している間に、当該携帯再生装置３のハードディスクドライブ３５に対して楽曲データを書き込む書込処理や楽曲データを削除する削除処理を実行すると、当該書込処理により書き込んだ楽曲データのデータ番号を示してなる書込処理結果データや当該削除処理により削除した楽曲データのデータ番号を示してなる削除処理結果データを、携帯再生装置３のハードディスクドライブ３５に書き込む。これにより携帯再生装置３は、パーソナルコンピュータ４から切り離されて主体的に処理を実行できるようになったとき、ハードディスクドライブ３５に記憶されている書込処理結果データや削除処理結果データに基づいて、パーソナルコンピュータ４により書き込まれた楽曲データのデータ番号やパーソナルコンピュータ４により削除された楽曲データのデータ番号を認識することができる。
【００４７】
この結果この携帯再生装置３は、例えば新たに書き込まれた楽曲データのデータ番号を再生回数［０回］のグループに属するようにして再生回数データベースに登録することができ、かくして楽曲データを正しく管理することができる携帯再生装置３を実現することができる。
【００４８】
なおこの第１の実施の形態においては、再生回数データベースに対して楽曲データのデータ番号を登録／登録抹消する例により、楽曲データの書込処理手順ＲＴ１及び削除処理手順ＲＴ２を説明したが、再生時間帯データベースや新規楽曲データベース等に対して楽曲データのデータ番号を登録／登録抹消する場合も、同様の処理手順ＲＴ１、ＲＴ２を適用することができる。
【００４９】
（２）第２の実施の形態
第２の実施の形態においては、図８に示すように携帯再生装置３のハードディスクドライブ３５に格納されている再生回数データベースに対して登録ルール情報が示されている点が、第１の実施の形態の構成と主に異なる。以下、この点を中心に説明する。
【００５０】
この第２の実施の形態の場合、この再生回数データベース中の登録ルール情報ＩＮＦ１として、再生回数［０回］のグループＧＰ１を指し示す情報（「分類１」）が記されている。この場合この登録ルール情報ＩＮＦ１は、「携帯再生装置３のハードディスクドライブ３５に対して新たに書き込んだ楽曲データのデータ番号は、再生回数［０回］のグループＧＰ１に属するようにして再生回数データベースに登録する」旨を意味している。
【００５１】
ここで第２の実施の形態における楽曲データの書込処理手順ＲＴ３を、図９及び図１０を用いて説明する。
【００５２】
すなわち、例えばユーザによりパーソナルコンピュータ４の操作部１８を介して、楽曲データ「楽曲Ｚ」を携帯再生装置３へ転送するための転送操作が行われると、これに応じてパーソナルコンピュータ４のＣＰＵ１０はステップＳＰ２１へ進み、ケーブル２を介して携帯再生装置３のハードディスクドライブ３５に格納されている楽曲管理データベースを参照することにより、携帯再生装置３のハードディスクドライブ３５に現在記憶されている楽曲データの何れにも割り当てられていない未使用のデータ番号「００２６」を認識する。
【００５３】
次いでパーソナルコンピュータ４のＣＰＵ１０はステップＳＰ２２へ進み、携帯再生装置３へ転送する楽曲データ「楽曲Ｚ」に対して当該認識したデータ番号「００２６」を付加した後、当該データ番号「００２６」を付加した楽曲データ「楽曲Ｚ」を、ケーブル２を介して携帯再生装置３のハードディスクドライブ３５に書き込む（図１０）。このようにして、この携帯再生装置３内で一意になるデータ番号「００２６」が付加された楽曲データ「楽曲Ｚ」が、パーソナルコンピュータ４から携帯再生装置３へ転送される。
【００５４】
続いてパーソナルコンピュータ４のＣＰＵ１０はステップＳＰ２３へ進み、当該書き込んだ楽曲データのデータ番号「００２６」を、ケーブル２を介して携帯再生装置３のハードディスクドライブ３５に格納されている楽曲管理データベースに対して登録する。
【００５５】
そしてパーソナルコンピュータ４のＣＰＵ１０はステップＳＰ２４へ進み、ケーブル２を介して携帯再生装置３のハードディスクドライブ３５に格納されている再生回数データベースの所定部分に示されている登録ルール情報ＩＮＦ１を参照することにより、「携帯再生装置３のハードディスクドライブ３５に対して新たに書き込んだ楽曲データのデータ番号は、再生回数［０回］のグループＧＰ１に属するようにして再生回数データベースに登録する」旨の登録ルールを認識する。この結果このパーソナルコンピュータ４のＣＰＵ１０は、当該認識した登録ルールに基づいて、かかる楽曲データのデータ番号「００２６」を、再生回数［０回］のグループＧＰ１に属するようにして再生回数データベースに登録することができる。
【００５６】
次に第２の実施の形態における楽曲データの削除処理手順ＲＴ４を、図１１及び図１０を用いて説明する。
【００５７】
すなわち、例えばユーザによりパーソナルコンピュータ４の操作部１８を介して、携帯再生装置３のハードディスクドライブ３５に記憶されている楽曲データを削除するための削除操作として、楽曲データのタイトル「楽曲Ｆ」が入力されると、これに応じてパーソナルコンピュータ４のＣＰＵ１０はステップＳＰ４１へ進み、ケーブル２を介して携帯再生装置３のハードディスクドライブ３５に格納されている楽曲管理データベースを参照することにより、当該入力されたタイトル「楽曲Ｆ」に対応する楽曲データのデータ番号「０００６」を認識する。
【００５８】
次いでパーソナルコンピュータ４のＣＰＵ１０はステップＳＰ４２へ進み、ケーブル２を介して携帯再生装置３のハードディスクドライブ３５にアクセスし、このハードディスクドライブ３５に記憶されている複数の楽曲データの中から、ステップＳＰ４１で認識したデータ番号「０００６」の楽曲データを特定し、当該特定した楽曲データを削除する。
【００５９】
続いてパーソナルコンピュータ４のＣＰＵ１０はステップＳＰ４３へ進み、当該削除した楽曲データのデータ番号「０００６」を、携帯再生装置３のハードディスクドライブ３５に格納されている楽曲管理データベースから登録抹消する。
【００６０】
そしてパーソナルコンピュータ４のＣＰＵ１０はステップＳＰ４４へ進み、当該削除した楽曲データのデータ番号「０００６」を、携帯再生装置３のハードディスクドライブ３５に格納されている再生回数データベースから登録抹消する。因みにこの場合パーソナルコンピュータ４のＣＰＵ１０は、再生回数データベースに示されている全てのデータ番号を参照することにより、当該再生回数データベース中のデータ番号「０００６」を特定し、当該特定したデータ番号「０００６」を消去するようになされている。
【００６１】
以上の構成において、携帯再生装置３は、再生回数データベースに対して楽曲データのデータ番号を登録する際の登録ルールを示した登録ルール情報ＩＮＦ１を、再生回数データベースの所定部分に示して記憶する。
【００６２】
パーソナルコンピュータ４は、ケーブル２を介して携帯再生装置３のハードディスクドライブ３５に楽曲データを書き込んだ際、このハードディスクドライブ３５に格納されている再生回数データベースの所定部分に示されている登録ルール情報ＩＮＦ１を参照することにより、当該書き込んだ楽曲データのデータ番号を再生回数データベースに対して登録する際の登録ルールを認識することができる。かくしてこのパーソナルコンピュータ４は、当該書き込んだ楽曲データのデータ番号を、携帯再生装置３中の再生回数データベースに対して正しく登録することができる。
【００６３】
以上の構成によれば、ケーブル２を介して携帯再生装置３のハードディスクドライブ３５に楽曲データを書き込んだ際、このハードディスクドライブ３５に格納されている再生回数データベースの所定部分に示されている登録ルール情報ＩＮＦ１を参照することにより、当該書き込んだ楽曲データのデータ番号を再生回数データベースに対して登録する際の登録ルールを認識することができる。
【００６４】
この結果このパーソナルコンピュータ４は、ケーブル２を介して携帯再生装置３に接続しているとき、携帯再生装置３に書き込んだ楽曲データのデータ番号を、当該携帯再生装置３中の再生回数データベースに対して正しく登録することができる。
【００６５】
また、この第２の実施の形態は上述した第１の実施の形態と異なり、携帯再生装置３ではなくパーソナルコンピュータ４が、楽曲データのデータ番号を再生回数データベースに対して登録するようにした。これにより、携帯再生装置３側の処理負荷を低減させることができる。特にこのような携帯再生装置３は、ユーザにより携帯されて使用されるので、内蔵のバッテリ等により駆動する。従ってこのように携帯再生装置３側の処理負荷を低減させることにより、この携帯再生装置３の消費電力を低減させることができ、かくして駆動時間を長くし得る等の効果を得ることができる。
【００６６】
なお第２の実施の形態においては、再生回数データベースに対して楽曲データのデータ番号を登録／登録抹消する例により、楽曲データの書込処理手順ＲＴ３及び削除処理手順ＲＴ４を説明したが、再生時間帯データベースや新規楽曲データベース等に対して楽曲データの登録／登録抹消する場合も、同様の処理手順ＲＴ３、ＲＴ４を適用することができる。この場合、携帯再生装置３のハードディスクドライブ３５に書き込まれた楽曲データのデータ番号を登録する際の登録ルール情報を、これら再生時間帯データベースや新規楽曲データベースの所定部分に対して予め示しておく。これにより、上述した再生回数データベースの例と同様の効果を得ることができる。
【００６７】
（３）他の実施の形態
上述の実施の形態においては、携帯再生装置３に楽曲データが記憶される場合について述べたが、本発明はこれに限らず、映像データやプログラム等のこの他種々のコンテンツデータを適用するようにしても良い。
【００６８】
また上述の実施の形態においては、コンテンツデータ（楽曲データ）を記憶するコンテンツ記憶装置として、携帯再生装置３を適用する場合について述べたが、コンテンツデータを記憶するものであれば、ＰＤＡ（Personal Digital Assistance）や携帯電話機等のこの他種々の情報処理装置を適用するようにしても良い。
【００６９】
さらに上述の実施の形態においては、コンテンツデータを対象とした処理（コンテンツデータの書込処理又は削除処理）を実行するコンテンツ処理装置として、パーソナルコンピュータ４を適用する場合について述べたが、本発明はこれに限らず、携帯再生装置３と有線又は無線により接続して当該携帯再生装置３に対してコンテンツデータを対象とした処理を実行することができれば、この他種々の情報処理装置を適用するようにしても良い。
【００７０】
さらに上述の実施の形態においては、コンテンツデータの識別情報（データ番号）が登録されるコンテンツ登録データ（再生回数データベースや再生時間帯データベースや新規楽曲データベース）に対して、コンテンツ処理装置により書き込まれた処理結果データ（書込処理結果データや削除処理結果データ）に示されているコンテンツデータの識別情報を登録する登録手段として、予めインストールされたプログラムに従って処理手順ＲＴ１及びＲＴ２を実行する携帯再生装置３のＣＰＵ３０を適用する場合について述べたが、本発明はこれに限らず、この他種々の構成を適用することができる。
【００７１】
さらに上述の実施の形態においては、コンテンツデータを記憶するコンテンツ記憶手段、処理結果データを記憶する処理結果データ記憶手段、コンテンツ登録データを記憶する登録データ記憶手段として、携帯再生装置３のハードディスクドライブ３５を適用する場合について述べたが、本発明はこれに限らず、半導体メモリやディスク状記憶媒体等のこの他種々の記憶媒体を適用するようにしても良い。また、コンテンツ記憶手段、処理結果データ記憶手段及び登録データ記憶手段を、それぞれ別個の記憶媒体により実現するようにしても良い。
【００７２】
さらに上述の実施の形態においては、コンテンツ記憶装置にコンテンツデータを書き込むコンテンツ書込装置として、パーソナルコンピュータ４を適用する場合について述べたが、本発明はこれに限らず、携帯再生装置３と有線又は無線により接続して当該携帯再生装置３に対してコンテンツデータを書き込むことができれば、この他種々の情報処理装置を適用するようにしても良い。
【００７３】
さらに上述の実施の形態においては、コンテンツ登録データ（再生回数データベースや再生時間帯データベースや新規楽曲データベース）を記憶するコンテンツ登録データ記憶手段、登録ルールデータ（登録ルール情報ＩＮＦ１）を記憶する登録ルールデータ記憶手段として、携帯再生装置３のハードディスクドライブ３５を適用する場合について述べたが、本発明はこれに限らず、半導体メモリやディスク状記憶媒体等のこの他種々の記憶媒体を適用するようにしても良い。また、コンテンツ登録データ記憶手段及び登録ルールデータ記憶手段を、それぞれ別個の記憶媒体により実現するようにしても良い。
【産業上の利用可能性】
【００７４】
本発明は、パーソナルコンピュータ等の外部機器から転送された楽曲データを内部のハードディスクドライブに記憶しておき、ユーザの操作に応じて当該ハードディスクドライブに記憶されている楽曲データを再生するようになされた携帯再生装置等に利用することができる。
【図面の簡単な説明】
【００７５】
【図１】第１及び第２の実施の形態における楽曲データ転送システムの構成を示す略線図である。
【図２】パーソナルコンピュータの構成を示す略線図である。
【図３】携帯再生装置の構成を示す略線図である。
【図４】データベースの説明に供する略線図である。
【図５】書込処理手順（１）を示すフローチャートである。
【図６】携帯再生装置のハードディスクドライブに記憶されているデータの様子（１）を示す略線図である。
【図７】削除処理手順（１）を示すフローチャートである。
【図８】携帯再生装置のハードディスクドライブに記憶されているデータの様子（２）を示す略線図である。
【図９】書込処理手順（２）を示すフローチャートである。
【図１０】携帯再生装置のハードディスクドライブに記憶されているデータの様子（３）を示す略線図である。
【図１１】削除処理手順（２）を示すフローチャートである。
【図１２】携帯再生装置のハードディスクドライブに記憶されているデータの様子（４）を示す略線図である。
【符号の説明】
【００７６】
１……楽曲データ転送システム、３……携帯再生装置、４……パーソナルコンピュータ、１０、３０……ＣＰＵ、３５……ハードディスクドライブ、ＲＴ１、ＲＴ３……書込処理手順、ＲＴ２、ＲＴ４……削除処理手順。
【図１】
0004345034.tif 000002
【図２】
0004345034.tif 000003
【図３】
0004345034.tif 000004
【図４】
0004345034.tif 000005
【図５】
0004345034.tif 000006
【図６】
0004345034.tif 000007
【図７】
0004345034.tif 000008
【図８】
0004345034.tif 000009
【図９】
0004345034.tif 000010
【図１０】
0004345034.tif 000011
【図１１】
0004345034.tif 000012
【図１２】
0004345034.tif 000013